(57)【要約】【課題】商品陳列棚あるいは商品陳列台の縁に張られている棒柵など横渡しの棒、若しくは、板柵など渡し板に取り付くと同時に、紙片を掲示できる留め具を得ること。【解決手段】  (イ)枠部材と、枠部材に連結される詰め合せ部材(B)を有す、(ロ)枠部材は、詰め合せ部材を受け入れる枠をなす部分で、天側(A1)、裏側(A2)、表側(A3)の３側面を囲い、地側を開口した枠体でなる、(ハ)詰め合せ部材は、枠部材の枠内に詰め込み得る部分を有す、(ニ)詰め合せ部材は、枠部材をスライドする形態で、枠部材の枠内に出入り可能とするかたちに連結される、(ホ)以上の構成ならびに形態を有する留め具とした。【選択図】  図１
2010259493.tif 000002
【特許請求の範囲】
【請求項１】
(イ)枠部材と、枠部材に連結される詰め合せ部材(B)を有す、
(ロ)枠部材は、詰め合せ部材を受け入れる枠をなす部分で、天側(A1)、裏側(A2)、
表側(A3)の３側面を囲い、地側を開口した枠体でなる、
(ハ)詰め合せ部材は、枠部材の枠内に詰め込み得る部分を有す、
(ニ)詰め合せ部材は、枠部材をスライドする形態で、枠部材の枠内に出入り可能とするかたちに連結される、
(ホ)以上の構成ならびに形態を有する留め具。
【発明の詳細な説明】
【技術分野】
【０００１】
商品陳列棚あるいは商品陳列台の縁には、商品がずり落ちないように棒柵や板柵が張られている。
【０００２】
本発明は、棒柵など横渡しの棒(以下、渡し棒とも云う)、並びに板柵など(以下、渡し板とも云う)の縁に、チラシや値札などの紙片(以下、紙片と云う)を掲示するための留め具に関する。
【背景技術】
【０００３】
従来は、例えば、特許文献１(実願２０００−２８２１)の如く、プラスチック板を折り曲げたケースを、渡し棒に装着し、該ケースに紙片を挟み入れ、紙片を下方から支持するかたちで掲示する方法が多くとられている。
然しながら、該ケースよりも縦幅が大きめの紙片(チラシなど)を掲示するには無理がある。
【０００４】
本発明のものは、紙片の上端寄りの部分を挟持し、吊り下げるかたちで掲示する留め具である。
従来、紙片の上端寄りの部分を挟持するものとして、例えば、特許文献２〜５に示すものがあるが、それらは、本発明が目指した渡し棒あるいは渡し板に取り付くと同時に、紙片を支持し掲示すると云う意図をもったものではなく、単に紙片を挟持するために枠体部(挟み枠)と押え部をもったというものであって、適切な比較をすることはできないが、大まかに云って次の違いがある。
【０００５】
特許文献２〜５のものは、紙片を斜め下方から突っ支う原理で留め押えるもので、挟み枠の片方の側に「斜め下方から突っ支う部分」として、特許文献２の場合には偏心押圧体(5)、特許文献３の場合は掴み面(4a)、特許文献４の場合はストッパー(2)、特許文献５の場合は押し板(4)を備えたものである。
そして、それらの「斜め下方から突っ支う部分」は、挟み枠の挟み入れ口を塞ぐかたちに構成されており、挟み入れ口は紙片を差し挟む以上の間隙をもつものでなく、本発明が大前提とする渡し棒あるいは渡し板に取り付くことができるものではない。
【先行技術文献】
【特許文献】
【０００６】
【特許文献１】実願２０００−２８２１
【特許文献２】実願昭４７−６６６８１
【特許文献３】実願昭６３−１５１７１７
【特許文献４】特願平８−１９５１７８
【特許文献５】実願昭６２−１０９５９０
【発明の概要】
【発明が解決しようとする課題】
【０００７】
本発明の主たる課題は、「渡し棒に取り付くと同時に、紙片を支持し掲示することのできる留め具を得ること」である。
【０００８】
加えて、紙片が脱落しないように留め押えできる留め具であること。シンプルで、安価に作れて、広く普及が期待できる留め具であること。付け外しの操作が容易であることなどが課題である。
【課題を解決するための手段】
【０００９】
本発明は次に記載するものである。
(イ)枠部材と、枠部材に連結される詰め合せ部材(B)を有す、
(ロ)枠部材は、詰め合せ部材を受け入れる枠をなす部分で、天側(A1)、裏側(A2)、
表側(A3)の３側面を囲い、地側を開口した枠体でなる、
(ハ)詰め合せ部材は、枠部材の枠内に詰め込み得る部分を有す、
(ニ)詰め合せ部材は、枠部材をスライドする形態で、枠部材の枠内に出入り可能とするかたちに連結される、
(ホ)以上の構成ならびに形態を有する留め具である。
【００１０】
本発明の特徴その１は、枠部材と詰め合せ部材を有し、取り付く対象の渡し棒を枠部材の枠内に納め入れて渡し棒に取り付き、紙片と詰め合せ部材を詰め込む(詰め合せる)ことを以って、紙片を支持する形態の留め具にしたことである。
【００１１】
本発明の特徴その２は、詰め合せ部材は、枠体の枠内及び枠の間口を開放するかたちで枠外に待機し、枠内と枠外を行き来することを可能とする形態に連結されるものとしたことである。
【００１２】
本発明の特徴その３は、詰め合せ部材は、枠部材の裏部をレールあるいは軸とし、該レールあるいは該軸をスライドする形態を以って枠内と枠外を行き来できるものとしたことである。
【発明の効果】
【００１３】
１、発明の効果は、渡し棒に取り付くと同時に、紙片を支持し掲示することのできる適切な留め具を得たことである。
２、一片の紙片を、人の手で押し込む力を以って詰め込む部材(詰め合せ部材)で留め押えるのであるから、紙片をずり落ち難い状態に、強力に留め押えできる留め具となった。
３、シンプルな形態の留め具を得た。
４、簡単な操作で使用できる留め具を得た。
【００１４】
主として、棒柵など渡し棒に紙片を掲示することに困窮して開発した本留め具は、板柵など渡し板にも効果的に使用(応用)できるものである。
渡し棒に留め付ける留め具と、渡し板に留め付ける留め具は、基本的な構成を同じくするものである。異なる点について、次に説明する。
【００１５】
渡し棒に取り付く場合は、渡し棒を枠部材の枠体の内に納め入れ、次に紙片と詰め合せ部材とを詰め込む。即ち、枠体の内に、渡し棒と詰め合せ部材とを縦列に詰め込む(詰め合せる)のであるが、
【００１６】
渡し板に取り付く場合は、渡し板を枠部材の枠体の内に納め入れ、次に渡し板に重ねて紙片と詰め合せ部材を詰め込む。即ち、枠体の内に、渡し板と詰め合せ部材とを並列に詰め込む(詰め合せる)ことになるので、枠部材の枠幅に対し詰め合せ部材の厚み幅(径)を渡し板の板厚の分だけ小幅(径)のものにする必要がある。基本的には、そのことだけで渡し板に使用できる留め具になる。
【００１７】
本発明は、多様な使い方ができる。
基本的な使い方は、渡し棒(または渡し板)に取り付くと同時に、紙片を支持し掲示する留め具としての使い方である。
【００１８】
その他に、渡し棒(または渡し板)に取り付くための手段として本発明を使用し、別途にフック機能あるいはクリップ機能を付加するなどして、棒柵など横渡しの棒に取り付くための取り付き具としての使い方ができる。
【００１９】
また、紙片を支持するための手段として本発明を使用し、別途の対象物に取り付くための機能、あるいは据えるための機能を付加するなどして、挟み留め具としての使い方ができる。
【図面の簡単な説明】
【００２０】
【図１】本発明の実施形態を示す斜視図である。
【図２】本発明の実施形態を示す斜視図である。
【図３】本発明を説明する図である。
【図４】本発明を説明する図である。
【図５】本発明を説明する図である。
【発明を実施するための形態】
【００２１】
本明細書で使用する語句を説明する。
図１、２の斜視図、図３の側面図を見るかたちで説明する。
上、下、上方、下方、上端、下端、左、右の語句は、図に示された状態を見ての表現で使用する。
枠部材は、天側(A1)、裏側(A2)、表側(A3)の３側面を囲い、地側を開口した枠体でなるものとしている。
天側を天部、裏側を裏部、表側を表部とも云う。枠体の内側を枠内あるいは内側と云い、外側を枠外あるいは外側と云う。
地側の開口した間口部分を間口と云い、その幅(側面から見た横幅)を間口幅と云う。
天部の左右に延びる幅(側面から見る幅)を、天幅もしくは枠幅と云う。
天部を上(天側)に見て、裏部と表部を天部の左右の端から下方に延びるかたちに見て、即ち、側面から見て、裏部及び表部の延びる幅を縦幅と云う。
枠部材を側面から見た形枠が、続いて延びる方向を横方向または横と云う。
枠部材を枠体とも云う。枠体を成す裏部と表部の区分は、詰め合せ部材を連結する側を裏部、連結しない側を表部として区分する。裏部は表部よりも縦長く、詰め合せ部材を枠外に待機させ、また、枠内に引き込みするレールあるいは軸の役割りを成す。
【００２２】
以下、本発明の実施の形態を図に基いて説明する。
以下の説明に於いて、棒柵など渡し棒に取り付く形態をＡ形態と云い、板柵など渡し板に取り付く形態をＢ形態と云う。
【００２３】
Ａ形態のものは、図３(側面図)に示すように、枠部材(の枠内)に渡し棒と詰め合せ部材を縦列に納めるかたちである。従って、詰め合せ部材は、枠幅に窮屈な状態に詰め入る厚み(径)をもつものである。
枠部材の枠幅は、取り付く対象の渡し棒を収容(渡し棒の径に対応)できることが前提である。渡し棒(棒柵)は、一般的に３ミリ〜９ミリ径ほどのものが多く用いられている。
【００２４】
図１は、本留め具を裏側から見た斜視図である。図２は、図１を表側から見た斜視図である。
図１、図２を見て、枠部材の裏部(A2)が、表部(A3)よりも縦長になっている。その裏部をレールあるいは軸とし、該レールあるいは該軸に、詰め合せ部材が組み付けられている。詰め合せ部材は、上下にスライドするかたちで枠内と枠外を行き来できるものとしている。
【００２５】
詰め合せ部材は、枠内最奥に至る前位置(枠の間口寄り)に納まるよう、裏部(A2)の上方寄りの横幅に段差(ストッパー)を設けている。
尚、裏部(A2)の下端から縦筋に切れ込みがあり、裏部の下端の両外角に出っ張りを設けているのは、詰め合せ部材を組み付ける都合と、組み付けた後に、抜け外れないためになした止めである。因みに、これらの機能を成す形状形態は多様にあり、単に一例(一方法)を示したものである。
【００２６】
図３は、図１の側面図である。図３を用いて、付け外しの過程と状態を説明する。
渡し棒に取り付くときは、詰め合せ部材を枠外(P1)に待機させ、渡し棒を枠部材の間口(P2)を経て、枠奥(P3)に迎え入れる。次に、詰め合せ部材を枠内(P4)に詰め込んで取り付く。実際には、詰め合せ部材を詰め込むときに、紙片を表部側(A3)の内側面に添え入れて、詰め合せ部材を詰め込む(詰め合せる)。
渡し棒から取り外すときは、詰め合せ部材を枠内(P4)から枠外(P1)に押し出して外し取る。
【００２７】
図４は、図１のものを使用している図である。渡し棒に取り付き、同時に紙片を支持し掲示している状態を表側から見た斜視図である。
図５は、図４の状態を裏側から見た斜視図である。
【００２８】
以下、本発明を実施(製作)する場合に於ける留意事項と許容事項について説明する。
【００２９】
枠体は、詰め合せ部材を詰め込んだ状態に於いて、その形体を保持できるだけの強度をもつことが大切である。多少のバネが働くものであるのは良い。使用していない状態では、枠幅(天幅)よりも間口幅の方が狭くなっているものが良い。取り付けた状態(詰め込んだ状態)に於いても、枠幅よりも間口幅の方が狭い状態、若しくは、枠幅よりも間口幅が広くならない状態で調和するのが良い。
【００３０】
当然のことであるが、Ａ形態のものであれば、渡し棒と詰め合せ部材を縦列に収容できる丈の枠体を有し、Ｂ形態のものであれば、渡し板と詰め合せ部材を並列に収容できる丈の枠体を有するものであること。
【００３１】
発明の主体を分かり易くするために、側面から見るかたちが略コ字状に折り曲って延びる単純な形状の枠体として図示し、説明しているが、機能を損なわない限りの変形は良い。因みに、枠体のバネが効果的に働くよう、略Ｍ字状に折り曲って延びるものにするのも良い。
【００３２】
表部の内側面に、紙片の脱落を防ぐための滑り止めの措置を取ると良い。形状として凹凸を設けるのも良いし、滑り止めとなる物質を付着させておくのも良い。
【００３３】
詰め合せ部材について、その形状を限定あるいは特定するものではないが、角(かど)のない丸い形が使い易い。筒状のものにしても良いし、弾性(バネ)をもつ筒状のものであっても良い。
【００３４】
詰め合せ部材の長さ(横幅)は、枠体の長さ(横幅)より短くても長くても良い。枠部材ならびに詰め合せ部材に用いる素材は、プラスチックでも金属性のものでも良い。
【００３５】
枠体の裏部は、詰め合せ部材が枠体の最奥にまで入らない位置で進入を止める形態にするのが良い。枠体の最奥は、枠体のバネが働き難い部分で、詰め合せ部材が窮屈な状態になり難い位置である。
【００３６】
留め具を付け外しする都度、詰め合せ部材を枠体の内に入れたり、枠体の外に出したりできる形態のもとに連結していることが重要である。上記の形態のもとに連結する手段は多様であり、その手段を限定するものではない。
枠体の裏部は、詰め合せ部材のスライドを可とする形態のものであれば、レールとなる形態あるいは軸となる形態についても特定あるいは限定するものではない。
【００３７】
詰め合せ部材を、連結する側を裏部と云い、裏部は表部よりも縦長であると前記したが、このことは本留め具が、掲示具としてシンプルで目障りにならない側を見える側にして取り付けた方が良いとする分別によるものであって、裏部を見える側にして使用しても支障があるということではない。また、表部が裏部よりも縦が短くなければならないと云うものでもない。因みに、詰め合せ部材を連結する形態として、渡し棒及び詰め合せ部材を収容する枠体を確保した上であれば、裏部の形態が外側に反って延びる形態のものであっても良い。表部の形態についても然りである。
【００３８】
本発明に於ける請求範囲は、次に説明するＢ形態のものも包括しての請求である。
【００３９】
以上にＡ形態のものについて説明した。以下にＢ形態のものについて説明する。基本的なことはＡ形態と同じである。
【００４０】
Ｂ形態のものは、枠部材(の枠内)に渡し板と詰め合せ部材を並列に詰め込む(詰め合せる)かたちである。従って、詰め合せ部材は、渡し板の板厚を勘案した上で枠幅に窮屈な状態に詰め入る厚み(径)のものであることが大切である。
枠部材は、取り付く対象の板厚および詰め合せ部材(の詰め入る部分)の厚み(径)を考慮した上で枠幅を設定することが大切である。
渡し板(板柵)は、一般的に３ミリ〜５ミリ厚ほどのものが多く用いられている。
【産業上の利用可能性】
【００４１】
ドラッグストアやスーパーに行って見ると、目玉クリップ(通称)を使用したり、セロハンテープで貼り付けたりしている状況であり、掲示手段に困窮している現実を目にする。本発明は、その困窮から開放するものであり、画期的な貢献ができるものである。
【符号の説明】
【００４２】
Ａ      枠部材(または枠体)
Ａ1     天部(または天側)
Ａ2     裏部(または裏側)
Ａ3     表部(または表側)
Ｂ      詰め合せ部材
Ｄ      渡し棒(棒柵など)
Ｆ      紙片(掲示紙片)
【図１】
2010259493.tif 000003
【図２】
2010259493.tif 000004
【図３】
2010259493.tif 000005
【図４】
2010259493.tif 000006
【図５】
2010259493.tif 000007